【手続補正書】
【提出日】平成18年10月12日(2006.10.12)
【手続補正１】
【補正対象書類名】明細書
【補正対象項目名】全文
【補正方法】変更
【補正の内容】
【書類名】  明細書
【発明の名称】  インタラクティブなデータ放送番組を用いた対話制御方法及びその装置
【特許請求の範囲】
【請求項１】
映像とデータが同期して情報提供するインタラクティブなデータ放送番組を用いた対話制御方法において、
ａ）当該番組が開始されると映像とともにデータが送られてきていることを通知する画面を表示し、
ｂ）利用者が当該通知画面の表示中に対話モードを選択すると、映像に関連するデータを表示して利用者との対話を促す対話画面に移行し、
ｃ）当該番組が終了する一定時間前に番組が終了する旨警告する画面を表示することを特徴とする対話制御方法。
【請求項２】
前記処理ｂ）において、情報提供者は２個以上の対話画面を用意することができ、その際には前記番組の残り時間に応じて各対話画面の表示時間を割当てることを特徴とする請求項１記載の対話制御方法。
【請求項３】
前記処理ｂ）において、対話画面に前記表示時間の残数を表示することを特徴とする請求項２記載の対話制御方法。
【請求項４】
前記処理ｃ）において、対話継続、対話終了または対話画面保存を利用者に選択させ、
ｄ）利用者が対話継続を選択した場合は、映像画面を消したデータ画面を表示し、利用者が対話を継続できるようにし、
ｅ）利用者が対話終了を選択した場合は、映像のみ表示する画面に復帰し、
ｆ）利用者が対話画面保存を選択した場合は、当該対話画面の内容を記憶装置に保存した後、映像のみ表示する画面に復帰することを特徴とする請求項１から３のいずれかに記載の対話制御方法。
【請求項５】
前記処理ｆ）において、保存した対話画面の内容を再表示する場合は、映像は同時に表示しないデータ画面のみ表示することを特徴とする請求項４に記載の対話制御方法。
【請求項６】
放送を受信可能でかつインターネットに接続可能な受信装置と記憶装置と入力手段とを備えた装置によって実行される対話制御方法であって、映像に関連するデータとしてインターネット上のホームページを表示装置に表示し、クイズの回答の送信及び補足説明の要求をインターネット経由でセンター装置に対して行う対話制御方法において、
ａ）前記受信装置が、放送を介して前記映像を受信し、前記表示装置に表示し、
ｂ）前記受信装置が、あらかじめ定められた利用者識別子と利用者の属性を含む利用条件に合致する利用者識別子と利用条件を含む関連データを選択し、
ｃ）前記受信装置が、前記映像の表示中に、タイムスタンプによって前記映像に関連付けられかつ前記ステップ（ｂ）にて選択された関連データの内容を示すアイコンやテロップを前記表示装置の画面サイズに応じたサイズに編集して、前記映像とともに前記表示装置に表示し、表示された前記アイコンやテロップを前記記憶装置に自動保存し、
ｄ）前記受信装置が、前記入力手段を介して利用者から前記アイコンやテロップが選択されると、選択された前記アイコンやテロップに対応する関連データとして前記インターネット上のホームページを前記表示装置の前記画面サイズに応じたサイズの表示領域に表示し、
ｅ）前記受信装置が、前記入力手段を介して利用者から一覧表示の指示が入力されると、前記一覧表示の指示が入力される時点までに前記ステップ（ｃ）にて自動保存された前記アイコンやテロップの一覧を前記表示装置に表示し、前記入力手段を介して利用者から前記アイコンやテロップの一覧から前記アイコンやテロップが選択されると、選択された前記アイコンやテロップに対応する関連データとして前記インターネット上のホームページを前記表示装置の前記画面サイズに応じたサイズの表示領域に表示することを特徴とする対話制御方法。
【請求項７】
放送を受信可能でかつインターネットに接続可能な受信装置と記憶装置と入力手段とを備え、映像に関連するデータとしてインターネット上のホームページを表示装置に表示し、クイズの回答の送信及び補足説明の要求をインターネット経由でセンター装置に対して行う対話制御装置において、
前記受信装置は、
放送を介して前記映像を受信する手段と、
前記映像を前記表示装置に表示する手段と、
あらかじめ定められた利用者識別子と利用者の属性を含む利用条件に合致する利用者識別子と利用条件を含む関連データを選択する手段と、
前記映像の表示中に、タイムスタンプによって前記映像に関連付けられかつ前記選択する手段にて選択された関連データの内容を示すアイコンやテロップを前記表示装置の画面サイズに応じたサイズに編集して、前記映像とともに前記表示装置に表示する手段と、
表示された前記アイコンやテロップを前記記憶装置に自動保存する手段と、
前記入力手段を介して利用者から前記アイコンやテロップが選択されると、選択された前記アイコンやテロップに対応する関連データとして前記インターネット上のホームページを前記表示装置の前記画面サイズに応じたサイズの表示領域に表示する手段と、
前記入力手段を介して利用者から一覧表示の指示が入力されると、前記一覧表示の指示が入力される時点までに前記自動保存する手段にて自動保存された前記アイコンやテロップの一覧を前記表示装置に表示する手段と、
前記入力手段を介して利用者から前記アイコンやテロップの一覧から前記アイコンやテロップが選択されると、選択された前記アイコンやテロップに対応する関連データとして前記インターネット上のホームページを前記表示装置の前記画面サイズに応じたサイズの表示領域に表示する手段とを備えたことを特徴とする対話制御装置。
【発明の詳細な説明】
【０００１】
【発明の属する技術分野】
本発明は、映像番組だけでなくデータ番組や双方向型番組を受信・表示し、当該データ番組や双方向型番組では利用者との対話により画面が遷移する放送受信装置に関する。このなかでも、データ番組や双方向型番組における利用者との対話及び画面遷移の制御に関わる。特に映像とデータが連動する番組や広告において、利用者との対話及び画面遷移が他の番組や広告の放送及び表示に影響を及ぼさないように対話及び画面遷移を制御に関する。
【０００２】
【従来の技術】
従来、テレビ向け放送では映像番組が中心であった。ところが、最近、放送のディジタル化、高度化が進むにつれて、文字や画像などいわゆるデータを放送するデータ番組、映像番組に関連するデータもあわせて放送する映像連動型データ番組、利用者からの応答を得ることを前提とした双方向型番組などが現実サービスとして開始されるようになってきた。本発明では、これらの番組のうち特に利用者との対話（インタラクション：相互作用）により画面が遷移するものを対象とし、これを対話番組またはインタラクティブ番組と呼ぶことにする。なお、従来より放送の分野（例えば特開平9-46651〜9-46656）では「インタラクティブ」という用語は「双方向性」という意味が強かったが、本発明では「インタラクティブ」＝「対話性」と捉え、双方向性すなわち利用者からの応答をサービス提供者側にフィードバックする機能は対話性を実現する一形態または一機能と考える。
【０００３】
次に従来のデータ番組やインタラクティブ番組における対話及び画面遷移の制御方法について説明する。
【０００４】
まず、アナログ地上波の空き領域に文字や画像データを多重化して送信する文字放送がある。この文字放送の受信装置では、受信した電波からデータ部分を抽出し、画面表示する。一般にデータは映像と関連しているわけではないので、データと映像の表示画面はそれぞれ切り離して表示することが多い。また、情報参照が主な用途であるため、利用者による操作もデータ画面の表示・非表示を選択する程度である。例えば、利用者がデータ画面表示を実行すると、受信装置では画面を二つに分割し、それぞれに映像とデータを表示する。または、同じ画面領域に映像とデータを利用者によるリモコン操作で交互に表示するなどが一般的な利用形態である。あるいは、データの受け取りが完了したら、それを映像の上にテロップとして流すといった表示の仕方もあるが、いずれにしろ利用者の操作は画面の表示形態を選択する程度である。
【０００５】
また、同じくアナログ地上波の空き領域にコンピュータが解釈できるスクリプト（画面遷移や操作手順を記述した言語）を埋め込んで送信するデータ放送サービスがある。この空き領域はVBI（Vertical Blanking Interval）と呼ばれるので、ここではこのサービスをVBIデータ放送と呼ぶことにする。VBIデータ放送では、画面遷移や操作手順がスクリプトとして記述してあるので、文字放送と比べより高度な操作を利用者は実行できる。例えば、スクリプト言語として現在インターネット上のWWW（World Wide Web）サービスで用いられるHTML（HyperText Markup Language）を採用すると、ホームページと同等程度の対話や画面遷移を実現できることになる。また、映像とデータとの関連をスクリプトで記述することにより、映像連動型データ番組も提供できる。
【０００６】
このVBIデータ放送では、テレビ向けとPC（パーソナルコンピュータ）向けのサービスで互いの表示画面が異なる。例えば、テレビ向けサービスでは、表示中の映像シーンに関連するデータが端末側に届くと、映像の隅に特定のアイコンを表示し、関連するデータがあることを利用者に知らせる。利用者がデータ表示を指定すると、テレビ画面を二つに分割し、映像とデータを同時に表示する。利用者はデータ画面で映像に関連するデータを参照したり、クイズに答えるといった対話を実行することなる。そして、サービス内容によっては、例えばクイズの回答など利用者との対話の記録を受信装置から電話回線などネットワークを通じ、センター設備に送る利用形態もある。このテレビ向けVBIデータ放送サービスの公知技術としては特開平9-46651〜9-46656に記載の「インタラクティブ文字多重放送システム」がある。
【０００７】
また、PC向けサービスでは、画面をあらかじめ映像表示領域とデータ表示領域に分割しておき、表示中の映像シーンに関連するデータが端末側に届くと、データ表示領域を更新し、関連データの到着を利用者に知らせる。利用者はデータ表示領域で関連データの参照などの対話操作を実行することになる。また、受信装置であるPCがインターネットに接続されていると、データ放送とインターネットの連携も可能であり、この場合クイズの回答などの対話記録の送信や補足情報の要求をインターネット経由で行うことになる。このPC向けVBIデータ放送サービスの公知技術は「日経マルチメディア」（日経ＢＰ社）９７年４月号ｐｐ４６〜ｐｐ６３の「メディア・ビックバン迫る」に詳しい。
【０００８】
さらに、最近次々と開局しつつあるディジタル衛星放送サービスでは、ＡＶ情報（映像及びオーディオ）に加え、データも送信する設備をあらかじめ備えたものがほとんどである。現行サービスでは、このデータ放送インフラを用いて番組情報（EPG: Electronic Program Guide）を送信しているが、先のVBIデータ放送と同様に、テレビ向け及びPC向けに映像独立型のデータ放送サービスや映像連動型のデータ放送サービスが計画されている。また、将来の地上波ディジタル放送においても同様のサービスが登場すると予想される。このディジタル衛星放送や地上波ディジタル放送によるデータ放送サービスについても、「日経マルチメディア」（日経ＢＰ社）９７年４月号「メディア・ビックバン迫る」に詳しい。
【０００９】
【発明が解決しようとする課題】
先にも述べたように、本発明では利用者との対話により画面が遷移するインタラクティブ番組を対象とする。ここでは、まずこのインタラクティブ番組の具体例について説明する。
【００１０】
現行の映像番組サービスとして、インフォメーションとコマーシャルをあわせた造語で「インフォマーシャル」と呼ばれる番組がある。インフォマーシャルは、いわゆる広告の一種であるが、特定の商品の紹介をその商品に関連する情報とともに提供する番組のことである。通常のコマーシャルとは違い、一つの番組として比較的まとまった時間に放映されるため、商品の訴求力をより高めるという効果がある。
【００１１】
最近、このインフォマーシャルにおいて番組に関連するアンケートを実施し、そのアンケートの結果をマーケティング分析に利用したいというニーズが出てきた。番組全体をスポンサー（広告主）が買い取るため、番組内容にスポンサーの意向を反映しやすく、また放送によるアンケート募集のため一度に多数のサンプルを集めることができ効率的との判断が働くためである。
【００１２】
インフォマーシャルをインタラクティブ番組の構成にすると、アンケート募集は容易に実現できる。具体的には、まずインフォマーシャルの映像とともにアンケート内容をデータ番組として送信する。データ番組ではアンケートがＱ＆Ａ形式で利用者に問われる。一般に、アンケート内容は多岐に渡るため、データ番組は複数の対話画面から構成され、利用者は各対話画面ごとに設けられた設問に回答することになる。利用者が回答し終わると、その回答を含むデータが双方向インフラ（例えば電話回線）を用いて番組提供者側のセンター設備に送信される。アンケート内容や画面遷移だけでなく回答収集プロセスもデータ番組内にスクリプトとして記述してあるので、利用者はアンケート回答のみ行えばよい。つまり、操作が簡単で負担も軽いということになる。また、番組提供者側から見ると、一度にたくさんのサンプルを収集できるだけでなく、紙によるアンケートでは必須であったアンケート結果入力作業を削減でき、回答収集から分析まで一貫したプロセスとして自動化できるというメリットがある。
【００１３】
同様の仕組みは、例えばショッピング番組での商品発注、教育番組でのテスト解答、医療番組での健康相談などたくさんの応用に適用できる。
【００１４】
次に、インタラクティブ番組において問題となる点を上記具体例に基づいて説明する。
【００１５】
一般に番組は放送時間が決まっている。一つのチャンネルでは時間経過に伴い番組が次々と切り変わるので、各番組は割り当てられた放送時間内に終わることを求められる。現行の映像番組では、放送局側でこの放送時間を管理するので、特に問題は生じていない。しかし、インタラクティブ番組ではデータ番組の画面遷移が利用者との対話によって進められるので、データ番組が放送時間内に終わらない場合も出てくる。例えば、上記インフォマーシャルの例では、利用者のアンケート回答が終わらないうちに映像番組が終了してしまう場合がありえる。
【００１６】
この場合、映像番組に関係なくそのままデータ番組を続ける方法と、映像番組の終了にあわせてデータ番組を強制終了する方法の二種類の対処方法がある。前者の場合、放送時間が終了したにもかかわらずデータ番組が継続されるため、放送局側で番組に出資しているスポンサーと権利問題が生じる可能性がある。具体例として、上記インフォマーシャルが複数連続して放送される場合を想定する。一つのインフォマーシャル（仮にＡとする）の放送時間が終了しても受信装置側でアンケート画面が続くとすると、その直後の放送時間を割り当てられているインフォマーシャル（仮にＢとする）では、表示画面が制限されたり当該インフォマーシャルＢのアンケートを開始できないなど番組内容に影響が生じる。スポンサーが契約した番組を正しく利用者に提供できないという意味でこの問題は深刻である。また、同じ状況が多数の受信装置で起こると、インフォマーシャルＢのアンケート回収結果にも影響が出るため、問題はさらに深刻になる。
【００１７】
このため、上記後者で述べたように、データ番組を放送時間にあわせて強制終了する方法がよく用いられる。この方法によるとインフォマーシャルＢの番組内容を守ることはできる。しかし、インフォマーシャルＡのアンケート内容によっては放送時間内に回答を終了するのが難しい場合も多々ある。特に、放送時間途中に電源ONやチャンネル切り換えなどを行うと、番組提供者側の想定より回答時間が少なくなってしまうため、放送時間中の回答終了がますます困難になってしまう。この場合、利用者にとっては放送時間中にアンケートに答えなければならないという心理的なプレッシャーを受けるとともに、仮に途中までアンケートに回答していたとしてもそれが破棄されてしまうので、アンケートの結果として得られる景品などの代償を受ける権利を強制的に放棄させられることになる。また、結果的に番組提供者やスポンサーにとってもアンケートのサンプル数を十分に集めることができないという問題が生じてしまう。
【００１８】
上記の問題は、受信装置側で利用者との対話により画面遷移が進むデータ番組と、放送局側で放送時間（つまり画面遷移）を管理する映像番組とに、時間的なずれが生じることに起因する。このため、先に挙げたショッピング番組での商品発注、教育番組でのテスト解答、医療番組での健康相談など他の応用においても同様の問題が起きる可能性がある。
【００１９】
よって、本発明の目的は、インタラクティブ番組における上記問題点を解決することにあり、まず第一にインタラクティブ番組における利用者との対話画面が他の番組に影響を及ぼさないように対話及び画面遷移を制御する方法を提供することにある。
【００２０】
また、インタラクティブ番組で利用者との対話をシステム側で制御するようになると、番組提供者側の意向が利用者に伝わらない場合が生じ、結果的に利用者が本来享受すべき利便性や利益が損なわれる可能性がある。このため、本発明の他の目的は、インタラクティブ番組において、他の番組に影響を及ぼさないように対話画面を制御するとともに、番組提供者側の意向をなるだけ反映する対話及び画面制御方法を提供することにある。
【００２１】
また、本発明によるインタラクティブ番組の利用者は一般家庭ユーザを主なターゲットとしているので、受信装置は操作が簡単で使い勝手のよいものでなければならない。そこで、本発明の他の目的は、利用者にとって分かりやすい対話及び画面制御方法を提供することにある。
【００２２】
次に、従来技術に上記問題を当てはめて考えてみる。
まず、文字放送番組は映像番組と互いに独立である。このため、映像番組と文字放送番組を互いに別画面に独立して表示する利用形態が多い。また、文字放送番組ではデータを垂れ流し的に表示する利用が多く、利用者との対話により画面遷移することはあまりない。このため、文字放送番組において、利用者との対話画面が他の番組に影響を及ぼす問題は生じにくいと考える。
【００２３】
次に、VBIデータ放送では、映像連動型データ番組の放映時間が終了し、他の番組に切り替わる際に上記問題が生じる可能性がある。映像連動型データ番組では、映像とともにその映像に関連するデータを送信する。受信装置では、映像にあわせて当該データも表示するため、番組が切り替わる際には当該データの表示領域が次の番組に影響を及ぼさないよう調整する必要がある。現行では、次の番組に関係なくそのままデータを表示する方法と、放送時間の終了にあわせてデータ表示領域を次の番組に強制的に切り換える方法の二種類の対処方法が取られている。前者はおもにPC向けの受信装置に採用され、後者はおもにテレビ向けの受信装置に採用されている。VBIデータ放送は、最近サービスが開始されたばかりであり、現在まで映像番組に関連するデータを参照するといった基本的なサービスしか提供されていない。このため、画面遷移の制御方法も先に述べたような最もプリミティブな方法で十分であった。しかし、インタラクティブ番組でアンケートを募集するなど、利用者との対話レベルがより高い利用形態を実現するためには、本発明で取り上げた上記問題点を解決する必要がある。
【００２４】
また、ディジタル放送（衛星、地上波ともに）においても状況はVBIデータ放送とほぼ同じで、前記「日経マルチメディア」（日経ＢＰ社）９７年４月号「メディア・ビックバン迫る」によると、データ番組を映像番組の特定シーンに同期して表示する仕組みが提案されている。しかし、データ番組で利用者との対話がさらに複雑になると、データ番組を映像番組と同期していかに表示するかよりも、映像番組の放送時間が終了する際にデータ番組における利用者との対話画面をどう処理するかが問題となってくる。しかし、従来技術ではこの問題に対する解答は示されていない。
【００２５】
【課題を解決するための手段】
映像とデータが同期して情報提供するインタラクティブなデータ放送番組において、
ａ）当該番組が開始されると映像とともにデータが送られてきていることを通知する画面を表示し、
ｂ）利用者が当該通知画面の表示中に対話モードを選択すると、映像に関連するデータを表示して利用者との対話を促す対話画面に移行し、
ｃ）当該番組が終了する一定時間前に番組が終了する旨警告する画面を表示し、対話継続、対話終了または対話画面保存を利用者に選択させ、
ｄ）利用者が対話継続を選択した場合は、映像画面を消したデータ画面を表示し、利用者が対話を継続できるようにし、
ｅ）利用者が対話終了を選択した場合は、映像のみ表示する画面に復帰し、
ｆ）利用者が対話画面保存を選択した場合は、当該対話画面の内容を記憶装置に保存した後、映像のみ表示する画面に復帰する。
映像に関連するデータとしてインターネット上のホームページに表示し、クイズの回答の送信及び補足説明の要求をインターネット経由でセンター装置に対して行う場合に、
ａ）放送を介して映像を受信し、表示し、
ｂ）あらかじめ定められた利用者識別子と利用者の属性を含む利用条件に合致する利用者識別子と利用条件を含む関連データを選択し、
ｃ）映像の表示中に、タイムスタンプによって映像に関連付けられかつステップ（ｂ）にて選択された関連データの内容を示すアイコンやテロップを画面サイズに応じたサイズに編集して、映像とともに表示し、表示されたアイコンやテロップを自動保存し、
ｄ）利用者からアイコンやテロップが選択されると、選択されたアイコンやテロップに対応する関連データとしてインターネット上のホームページを画面サイズに応じたサイズの表示領域に表示し、
ｅ）利用者から一覧表示の指示が入力されると、一覧表示の指示が入力される時点までにステップ（ｃ）にて自動保存されたアイコンやテロップの一覧を表示し、利用者からアイコンやテロップの一覧からアイコンやテロップが選択されると、選択されたアイコンやテロップに対応する関連データとしてインターネット上のホームページを画面サイズに応じたサイズの表示領域に表示する。
【００２６】
【発明の実施の形態】
以下、本発明の実施の形態について図面を参照して説明する。
図１は、本発明の一実施例に係るインタラクティブ番組において利用者との対話及び画面の状態遷移を表す説明図を表す。
ステップ２０で、番組が開始されると映像とともにデータが送られてきていることを通知する画面を表示する。図１２は、本発明の一実施例に係るインタラクティブ番組の通知画面を表す説明図を表す。図１９は、本発明の一実施例に係るインタラクティブ番組の通知画面の構成を表す説明図を表す。図２６は、本発明の一実施例に係るインタラクティブ番組の通知画面における対話及び画面制御の処理フローを表す説明図を表す。
ステップ３０で、利用者が通知画面の表示中に対話モードを選択すると、映像に関連するデータを表示して利用者との対話を促す対話画面に移行する。また、情報提供者は２個以上の対話画面を用意することができ、その際には番組の残り時間に応じて各対話画面の表示時間を割当てる。また、対話画面に表示時間の残数を表示する。図１３は、本発明の一実施例に係るインタラクティブ番組の対話画面を表す説明図を表す。図１４、図１５、図１６は、本発明の一実施例に係るインタラクティブ番組の別の対話画面を表す説明図を表す。図２０は、本発明の一実施例に係るインタラクティブ番組の対話画面の構成を表す説明図を表す。図２７は、本発明の一実施例に係るインタラクティブ番組の対話画面における対話及び画制御の処理フローを表す説明図を表す。
ステップ４０で、番組が終了する一定時間前に番組が終了する旨警告する画面を表示し、対話継続、対話終了または対話画面保存を利用者に選択させる。図１７は、本発明の一実施例に係るインタラクティブ番組の警告画面を表す説明図を表す。図２８は、本発明の一実施例に係るインタラクティブ番組の警告画面における対話及び画面制御の処理フローを表す説明図を表す。
利用者が対話継続を選択した場合は、ステップ５０で、映像画面を消したデータ画面を表示し、利用者が対話を継続できるようにする。図１８は、本発明の一実施例に係るインタラクティブ番組のデータ画面を表す説明図を表す。図２９は、本発明の一実施例に係るインタラクティブ番組のデータ画面における対話及び画面制御の処理フローを表す説明図を表す。
利用者が対話終了を選択した場合は、映像のみ表示する画面に復帰し、利用者が対話画面保存を選択した場合は、対話画面の内容を記憶装置に保存した後、映像のみ表示する画面に復帰する。また、保存した対話画面の内容を再表示する場合は、映像は同時に表示しないデータ画面のみ表示する。  図２は、本発明の一実施例に係るインタラクティブ放送サービスの全体システム構成を表す説明図を表す。当該システムは、大きく情報提供者側サブシステムと情報伝達メディアと利用者側端末からなる。まず、情報伝達メディアとしては、地上波や衛星放送１４０及びＣＡＴＶなどによる放送メディアと、インターネット１５０などのネットワークメディアと、ＣＤ−ＲＯＭやＤＶＤ（Digital Video Disc）などのパッケージメディアを想定している。情報提供者側サブシステムでは、モジュールにおいて映像やデータなどの各種コンテンツを各伝送メディア向けに加工するとともに、メディア間のリンクを定義する。ここで言うメディア間のリンクとは、各伝送メディアで利用者側に送る情報間の参照関係のことを言い、例えば放送メディアで流す映像から関連するインターネット上のホームページやＣＤ−ＲＯＭ上のデータにアクセス可能にする。各種伝送メディア向けには、放送局１６０からは衛星放送１４０などへ、センタ装置１７０からはネットワーク１５０へ、パッケージ作成サブシステムからはＣＤ−ＲＯＭへそれぞれ情報を送出する。これを利用者端末で受け取り、参照する仕組みである。
【００２７】
利用者端末は、インタラクティブ放送受信装置１００と表示装置１２１とユーザ入力手段１３０であるリモコン１３１からなる。インタラクティブ放送受信装置１００は、少なくとも一つの映像ソースと、同じく少なくとも一つのデータを受け取る。映像とデータの送信方法及びデータの構造については後述する。
【００２８】
さて、インタラクティブ放送受信装置１００では、映像とその映像に関連したデータを選択受信する第１の機能ブロックと、当該映像と関連データを互いに同期して表示する第２の機能ブロックと、インターネットやＣＤ−ＲＯＭなど外部リソースにアクセスする第３の機能ブロックに大きく分けることができる。まず、第１の機能ブロックでは、ユーザ入力手段１３０からの指示に基づき、映像選択部にて少なくとも一つを選択する。通常のテレビにおけるチャンネル選択と同じ処理であるが、本発明では同時に映像に関連するデータを選択することに特徴がある。例えば、利用者がチャンネル番号１の映像Ａを選択したとすると、映像Ａに関連付けられたデータａとデータｂがそのまま選択されたことになる。この後、映像は映像入力部を介して、第２の機能ブロック中の映像・データ合成部に送られる。
【００２９】
一方、前記関連データはデータ入力部を介し、データ選択部に送られる。本発明では、あらかじめ定められた利用条件に基づき、前記関連データをさらに選択することに特徴がある。例えば、利用者が３０歳男性とし、その旨利用条件が登録されていたとして、送られてきた前記関連データの利用条件と比較して、データａを選択することになる。利用条件としては、年齢や性別の他に、住所やその他趣味・性格など複数種類を登録することができる。同時に、利用者個別の識別子も登録するので、特定利用者だけに送りたい情報に関しては関連データ側で利用者識別子を利用条件に設定する。この仕組みにより、情報提供者側からはターゲット利用者を絞った効率的な情報提供が実現できると同時に、利用者側でも自分に真に関連するデータのみ参照できるので、情報参照の効率があがる。
【００３０】
同時に、利用環境に関する条件が登録されていると、当該条件に基づき、関連データの表示条件１８を規定する。例えば、関連データの表示領域を画面サイズにあわせるなどといった処理が考えられる。また、実現に際しては、Ａという条件下であればａの表示条件に従うといった具合に、利用環境条件ごとに表示条件を規定し、利用者端末側でこれを選ぶといったやり方を想定している。
【００３１】
次に、第２の機能ブロックでは、前記映像と関連データを両者の関連が利用者に分かりやすいように表示する必要がある。このため、第２の機能ブロックでは映像表示部と合成表示部とデータ表示部の３種類の表示手段を用意している。簡単に言うと映像表示部では画面全体で映像を中心に表示し、合成表示部では映像とデータをあわせて表示し、データ表示部では画面全体でデータのみ表示する。また、各表示画面は、ユーザ入力手段１３０からの指示により、表示切替部を介してそれぞれ画面を切り替える。
【００３２】
映像表示部にて、映像のみ表示装置１２０に出力していたのでは、映像とデータの関連性を利用者に伝えることができない。そこで、本発明では、映像の特定シーンに関連するデータをその内容を示すアイコンやテロップを映像に重畳して表示するため、同期制御部と映像・データ合成部を設けたことに特徴がある。特に、映像・データ合成部では、映像上にアイコンやテロップを重ねて合成するデータオーバレイ処理を用いる。ここで、アイコンは当該関連データがどのような種類のものかを表すために用いる。例えば、関連データがプレゼント情報であったり、会員向けの限定情報であるなど。また、テロップは関連データのヘッドラインを表す。新聞の大見出しのように一目でその内容が分かるものであることが望ましい。
【００３３】
同時に、当該関連データに表示条件が規定されている場合は、当該条件に基づき、アイコンやテロップを前もって編集するため、データ編集部も設けた。例えば、画面サイズが小さい場合はアイコンやテロップのサイズも同様に小さくしたり、テロップの長さも短めにしたりする。以上より、映像に関連したデータの存在をアイコンやテロップを使って、わかりやすくかつ効果的に利用者に知らせることができる。
【００３４】
なお、映像・データ合成部におけるスルー処理では、映像にアイコンやテロップを重ねることなくそのまま表示する。映像に関連するデータがない場合や利用者がアイコンやテロップの表示をＯＦＦにしている場合に用いる。
【００３５】
次に、合成表示部では、映像と関連データをあわせて表示する。合成表示の方法としては、映像オーバレイ処理による関連データ上に映像を重畳する方法、データオーバレイ処理による映像上にデータを重畳する方法、表示装置１２０の画面を映像表示領域とデータ表示領域に分割する方法などがある。本発明では、映像表示中の特定シーンにて関連データが存在すると、前記映像表示部と同じく、映像にアイコンやテロップを重ねて表示し、利用者のデータ表示の指示が入力されると、データ表示領域に当該関連データを表示することに特徴がある。利用者は、連続メディアである映像をデータ表示で妨げられることなく続けて観賞でき、同時に関連データをも同一画面にて参照できるというメリットがある。
【００３６】
次に、データ表示部では、関連データのみを表示する。この際、表示条件が規定してある場合は、あらかじめデータ編集部にて当該条件に従うようデータを加工・編集しておく。なお、第２の機能ブロックでは、データ一時記憶領域を設け、データ選択部からの選択済み関連データを一時的に保管する。そして、各表示部からの要求に応じて当該関連データを各処理部に送出する。
【００３７】
ここで関連データについて簡単に説明すると、本発明では関連データとして、インターネット上のホームページなどのように、いわゆるリンク構造を持った文字や画像を想定している。このため、データ表示画面上で操作を行うということは、すなわちリンクを辿ることにほかならない。そこで、第３の機能ブロックでは、リンク先指定などのデータ操作部と、リンク先を検索するなどのデータ探索部を設けた。また、本発明では、関連データを送られてくるものばかりでなく、インターネット上やＣＤ−ＲＯＭ上など他の伝送メディア上にあることも想定していることに特徴がある。このため、データ探索部では、関連データのアクセス方法に関する情報により、データ一時記憶領域だけでなく、インターネットアクセス部やＣＤ−ＲＯＭアクセス部にもデータ探索を依頼する。インターネットアクセス部では、インターネット上のホームページのＵＲＬ（Universal Resource Locator）を受け取り、当該ＵＲＬに該当するホームページを入手してデータ一時記憶領域に格納する。ＣＤ−ＲＯＭアクセス部についても処理はほぼ同様であるが、ＣＤ−ＲＯＭタイトルごとにアクセス方法が違う可能性があるため、本情報サービスで用いるＣＤ−ＲＯＭとのアクセスプロトコルをあらかじめ決めておく必要がある。以下、本実施例では、映像に関連したデータの内容としておもにホームページを代表にとって説明する。
【００３８】
次に、図３は本発明の一実施例に係るインタラクティブ放送受信装置のハードウェア構成を表す説明図を表す。利用者端末は、インタラクティブ放送受信装置１００と表示装置１２０とユーザ入力手段１３０からなる。また、インタラクティブ放送受信装置１００のハードウェア構成は、中央制御装置１０１と、それぞれバス１０９でつながったメモリ１０２と表示制御部１０３と入力制御部１０４と放送受信部１０５とディスク制御部１０６と通信制御部１０７からなる。メモリ１０２では、データ一時記憶領域を形成するなど、処理プログラムやデータを記憶する。表示制御部１０３では表示装置１２０への出力を制御する。入力制御部１０４では、利用者からの指示がユーザ入力手段１３０より入力されるので、これを受け取り、指示を中央制御装置１０１に送る。中央制御装置１０１でその指示内容を解釈してその指示を実現するための命令を実行する。放送受信部１０５では、アンテナ１４１を介して放送局から送られてきた映像やデータを受け取る。ディスク制御部１０６では、ＣＤ−ＲＯＭなどのパッケージメディア中のデータにアクセスする。同様に、通信制御部１０７では、インターネット上のホームページなど各種情報源にアクセスする。
【００３９】
画面遷移について説明すると、まず表示画面２０００では映像のみ表示している。映像表示中にタイムスタンプが開始されると、表示画面２０１０または２０３０に遷移する。ここで、タイムスタンプとは、特定映像シーンと当該シーンに関連するデータを同期付ける仕組みであり、基本的に当該関連付けされた映像シーンの開始から終了までの時間を表す。タイムスタンプ中に利用者から何の指示も入力されなければ表示画面２０１０または２０３０から表示画面２０００に戻る。
【００４０】
表示画面２０１０では関連データの種類を表すアイコンを表示し、表示画面２０３０ではアイコンとともに関連データの内容を示すテロップを表示している。本発明では、映像シーンに関連したデータが存在することをこのようなアイコンやテロップで知らせることに特徴がある。また、本発明では、利用者ごとに種別化または個別化したデータを表示するので、アイコンやテロップを使ってデータの種類や内容を分かりやすく利用者に知らせることにも特徴がある。なお、本実施例ではテロップの表示・非表示は情報提供者側で設定できるものとしている。また、アイコンやテロップに邪魔されることなく映像を楽しみたいという利用者のために、アイコンやテロップを利用者側で表示ＯＦＦにするモードも設ける。しかし、関連データの内容によっては情報提供者が必ず利用者に伝えたいデータもあるので、アイコンやテロップの強制表示モードも設けた。
【００４１】
次に、表示画面２０００の状態で、利用者が表示切替を指示すると、表示画面２０５０に遷移し、それまでに見た一番最後のホームページまたはデフォルトホームページを表示する。一方、表示画面２０１０または２０３０の状態で利用者が表示切替を指示すると、表示画面２１３０に遷移し、映像に関連したホームページを表示する。このように、アイコンやテロップを表示中に表示切替が指示されると、当該映像シーンに関連したホームページを表示することに本発明の特徴がある。
【００４２】
また、表示画面２０５０と２１３０においては、現在選択中の映像の縮小映像をホームページ上に重ねて表示する。このように、利用者は映像をデータ表示に邪魔されることなく連続して見ながら、同時に関連データをも参照できるところに本発明の特徴がある。
【００４３】
また、縮小映像は通常映像の表示画面２０００と同等機能を持つ。このため、表示画面２０５０において、タイムスタンプが開始されると、表示画面２０９０に遷移し、縮小映像にテロップとアイコンを表示する。この状態で、表示切替を利用者が指示すると、表示画面２１３０に遷移し、映像に同期したホームページを表示する。このように、映像と関連データの同時表示中に、映像に関連した新たなデータがあることを利用者に知らせることができるので、利用者は即座に当該関連データを参照することができる。
【００４４】
次に、表示画面２０５０の状態で再度表示切替が指示されると、表示画面２１５０に遷移し、縮小映像を画面から消去し、現在表示中のホームページだけを表示する。同様に、表示画面２０９０の状態で表示切替が指示されると、表示画面２１８０に遷移し、縮小映像を消去すると同時に、映像に同期したホームページを表示する。この表示モードは、前記映像とホームページの合成表示モードとは逆に、映像に邪魔されることなくホームページを見たい場合に適切である。なお、ホームページの操作はメニューで行う。また、再度表示切替を指示すると、映像のみを表示する表示画面２０００に戻る。
【００４５】
前記メニューには「自動保存されたアイコンやテロップの再表示」という項目を設けてある。つまり、利用者がこれまでに見てきたアイコンやテロップの一覧を自動保存し、利用者からの指示があった時点でこれをホームページの形式（つまりＨＴＭＬ：Hypertext Markup Language形式）に変換して利用者に提示する。例えば、表示画面２１５０においてその旨指示が入力されると、表示画面２１７０に遷移する。表示画面２１７０では、これまでに自動保存されたアイコンやテロップを一覧表示する。利用者が映像に熱中するあまり関連データを見逃したり、あとでもう一度見たいといったニーズがあることを想定し、本発明では当該機能を設ける。また、アイコンやテロップをすべて保存していたのではメモリ１０２がいくらあっても足りないので、適宜いらないものを消去できるよう、関連データに優先度を設け、優先度の低いデータから消去する仕組みにする。例えば、この優先度を情報提供にかかったコストに応じて定めるとすると、コストが安かった順に消去されることになる。
【００４６】
以上、画面遷移を説明したが、表示画面には大きく、映像のみの表示モードと、映像とホームページの合成表示モードと、ホームページのみの表示モードの３種類があることがわかる。映像表示モード、合成表示モード、ホームページ表示モードそして映像表示モードに戻るといった順に遷移している。一方、本発明の別の実施画面例では、映像表示モード、ホームページ表示モード、合成表示モードの順に遷移している。ホームページを中心的に見る利用例に適した画面遷移である。本発明の別の実施画面例では、本画面例では合成表示モードが存在しない。映像とホームページを合成させて表示するためにはその分コストもかかるが、コストを低く押えることができる。
【００４７】
また、映像とデータの合成表示モードとしては、いくつか他にも実施画面例がある。例えば、画面を２分割し、一方を映像表示領域、他方をホームページ表示領域とし、映像側で関連するホームページの存在をアイコンやテロップで知らせる。この時点で、利用者が画面切替を指示すると、ホームページ表示領域に映像に同期したホームページを表示する。
【００４８】
画面を一つのホームページ表示領域と３つの映像表示領域に分割している。利用者は映像表示領域にて映像をそれぞれ選択し、そして当該映像に関連するデータが存在する場合は、アイコンやテロップにて通知される。表示切替の指示入力により、映像Ｂに同期したホームページを表示することができる。
【００４９】
特定映像シーンに関連するデータが複数ある場合を想定した表示例では、現在映像を表示していたとして、関連するデータのタイトルなどを関連データのリストとして表示する。利用者がこのリストから関連データを選ぶと、該当するホームページを表示する。特定映像シーンに関連するデータが複数ある場合の表示方法としては、他にも表示画面２０１０または２０３０において、アイコンやテロップの表示時間を各関連データ間で時分割したり、あるいは関連データのアイコンやテロップを全部画面上にならべるといった表示方法も考えられる。
【００５０】
また、関連するデータの存在が利用者に知らしめられてから、利用者が当該データを選択して表示するということを前提としてきた。表示画面２０９０のように、映像と関連データを同一画面で見ることができるのであれば、映像のタイムスタンプが変われば、関連データの表示も自動的に変わるといった利用形態も考えられる。
【００５１】
次に、図５は本発明の一実施例に係るインタラクティブ放送受信装置の利用者操作用リモコンの外観を表す説明図を表す。通常のテレビリモコンと同様に、電源ボタン１３２、チャンネル切替ボタン１３３、音量変更ボタン１３５、チャンネル直接切替ボタン群１３４などを備える。本発明では、操作リモコン１３１において、表示切替ボタンと、ホームページ表示ボタンを備えたことを特徴とする。表示切替ボタンでは、表示切替による状態遷移を司る。つまり、利用者は表示切替ボタンを押すことによって、各表示画面間を遷移する。また、表示画面２０９０から表示画面２１３０への遷移、及び表示画面２０１０または２０３０から表示画面２１８０への遷移は、ホームページ表示ボタンによる。
【００５２】
また、本実施例では、ホームページでリンク先を指定するなどの処理が必要になるため、カーソル移動用に上下左右にカーソル移動する十字キー１３８及び確定ボタン１３８を用意している。本発明では、当該十字キーでホームページ内のリンク先を指定するだけでなく、特定映像シーンに関連したデータが複数ある場合、それぞれをリスト表示した場合に、この中から利用者が見たい関連データを選択するのに当該十字キーを用いることに特徴がある。
【００５３】
次に、図６では、アナログ地上波における映像番組とデータ番組の同時伝送の仕組みを概念的に表す説明図を表している。大まかに言うと、地上波では通常映像を各映像フレームごとに送っているが、各フレーム間には垂直方向の同期をとるＶＢＩ（Vertical Blanking Interval）と呼ばれる領域があり、最近この領域で空いている個所をデータ放送に用いることが許可されつつある。放送局側で当該領域にデータ群を埋め込み、利用者端末側でこれを取り出す仕組みである。
【００５４】
また、図７では、ディジタル衛星放送における映像番組とデータ番組の同時伝送の仕組みを概念的に表す説明図を表す。通常のアナログ衛星放送では、衛星の１トランスポンダを使って１チャンネルを送っていたが、ディジタル衛星放送では、映像圧縮技術やデータ多重化技術を用い、１トランスポンダ当たり４番組分の映像を送ることができる。同時に、いくらかの空き領域もできるので、この部分を使ってデータを利用者端末側に送ることになる。現在は、この領域を使って番組ガイドなどを送っている。
【００５５】
次に、図２３は本発明における関連データのデータモデルを表す。データ番組３０２は当該データを参照可能な利用者を規定した利用条件３０３を保持する。同時に、関連付けされた映像番組３０１を特定できるようにタイムテーブル３０６も持つ。また、関連データの存在を利用者に知らしめるため、映像に重畳して表示するためのアイコンとテロップを保持する。同時に、データ内容そのものまたはデータ実体へのアクセス方法も保持する。
【００５６】
以上、これをデータ構造として具体化すると、図２４に示すようになる。つまり、各データはＩｄ番号にて管理し、映像Ｉｄ、利用条件、タイムスタンプの開始時刻、終了時刻、継続時刻、アイコンを表す画像、テロップとして表示する文字列、データ内容をそれぞれ保持する。映像Ｉｄとは番組映像の識別子のことであり、例えばＧコードなどを用いる。また、当該映像Ｉｄとタイムスタンプ開始時刻及び終了時刻でもって、当該データが関連付けられた映像シーンを特定できる。また、利用条件としてはあらかじめ決められた属性ごとに属性値が設定されている。あるいは、個別化されたデータならば、この領域には利用者識別子が格納されている。データ内容については、当該データがインターネット上のホームページやＣＤ−ＲＯＭ内にある場合もありえる。この場合は、当該データへのアクセス方法がこの領域に格納してある。
【００５７】
次に、本発明における映像・データ表示方法及び装置の処理の流れを説明する。
【００５８】
映像・データ表示方法及び装置におけるメインプログラムの処理フローを説明する。まず、ステップ３０１０では、利用者が操作リモコン１３１で、電源ボタン１３２を押し、スイッチを入れたことを検出する。次に、ステップ３０２０では、前回スイッチＯＦＦ時のチャンネルを表示する。ここでの処理は、映像表示部での処理に対応するが、詳細は後述する。次に、ステップ３０３０では、ステップ３０４０とステップ３０５０の処理をスイッチＯＦＦとなるまで繰り返す。当該ステップ３０４０では、利用者が選択した操作リモコン１３１のボタンを検出し、当該ステップ３０５０では、各ボタンに応じた処理を実行する。表示切替ボタンが選択された場合は、表示切替部における処理を実行する。次に、ホームページ表示ボタンが選択された場合は、ホームページ表示処理を実行する。このホームページ表示処理は、映像表示モードにおいて関連データの存在をアイコンやテロップが知らせてくれた場合にデータ表示モードに移行し、映像に同期したデータを表示する。同様に、合成表示モードにあって、縮小映像画面中にテロップやアイコンが流れ、関連データの存在が利用者に知らしめられた時、同じく合成表示モードのままで、映像に同期したホームページに表示を切り替える。次に、チャンネルボタン１３３またはチャンネル直接選択ボタン群１３４が選択された場合は、映像選択部における処理を実行する。通常のテレビのチャンネル切り替えとは違い、映像に関連するデータの入力切替も行っているところに本発明の特徴がある。次に、データ操作ボタンとは、ボタン１３８の十字キーを意味し、これが選択された場合はデータ操作部における処理が実行される。例えば、ホームページ上のリンク先の指定といった処理などがある。次に、電源ボタン１３２が選択されると、プログラムはスイッチＯＦＦを検出し、ループを抜ける。次いで、ステップ３１１０において、スイッチＯＦＦ時のチャンネルを記録し、次にスイッチＯＮした際に当該番組を即座に表示できるようにしておく。そして、ステップ３１２０にてプログラムを終了する。この他にも、例えば音量調整などの操作が考えられるが、本発明の主旨から外れるので割愛する。
【００５９】
次に、表示切替部における処理フローを説明する。まず、ステップ３２１０では、現時点の表示モードを検出する。本実施例では、映像表示モードと、映像・データ合成表示モードと、データ表示モードの３種類の表示モードが存在する。ステップ３２２０で、現在の表示モードがデータ表示モードにあった場合は、映像表示部における処理を実行し、映像表示モードに移行する。映像表示モードにあった場合は、合成表示部における処理を実行し、合成表示モードに移行する。合成表示モードにあった場合は、データ表示部における処理を実行し、データ表示モードに移行する。最後に、ステップ３２５０にて処理を終了する。ここで、本実施例におけるデータ表示部の処理は、ホームページ表示の処理となる。また、合成表示部における処理では、画面切り替えの際に映像の裏面で当該映像シーンに関連するホームページの表示準備を行う。ここで、関連データが存在しなかった場合は、最後に見たホームページまたはデフォルトホームページを表示準備する。準備終了後、映像表示領域を順次縮小すると同時に、データ表示領域を順次利用者に見せることになる。ここで映像表示領域を順次縮小するなどアニメーションを用いている理由は、映像とデータの表示切り分けが瞬間的に起きたため利用者にわかりにくいと感じさせることを防ぐためである。
【００６０】
次に、映像表示部における処理フローを説明する。ここでは、映像とデータの同時伝送の仕組みとして、図６における方法を考える。映像の１フレームごとにデータが格納されているので、フレーム単位にデータを取り出す仕組みが必要となる。そこで、ステップ３３００では、一定周期ごと（ここでは１フレーム単位ごと）にステップ３３１０〜３４４０を繰り返す。
【００６１】
まず、ステップ３３１０では、映像入力部において１フレーム映像を入力する。次に、ステップ３３２０では、フレーム間に埋め込まれたデータを抽出する。ここで、データが埋め込まれていない場合も考えられるので、ステップ３３３０ではデータがあるかどうかを判別し、データありの場合にステップ３３４０〜３３８０を実行する。ステップ３３４０では、データ入力部の処理に相当し、データを抽出してデコードする。次に、ステップ３３５０では、データ選択部での処理に相当し、登録済み利用条件とデータ中の利用条件とを照らし合わせる。次いで、ステップ３３６０にて、利用条件が合致した場合に、ステップ３３７０にてデータを一時記憶領域に保存し、合致しなかった場合に、ステップ３３８０にて当該データをそのまま保存しないで捨てる。また、ステップ３３５０では、画面サイズなどの利用環境の条件に基づき、アイコンサイズや文字列のフォントサイズなどデータの表示条件も規定する。ここで、１フレーム単位に受け取るデータの量はそれほど多くないので、データを分割して送るといった運用も考えられる。この場合は、データ保存処理の後で、セグメントごとに分けられたデータを合成して同一データにする処理が必要となる。
【００６２】
次に、ステップ３３９０では、同期制御部における処理に相当し、現在表示している番組で今の時間帯にあうデータを検索する。映像のＩｄもタイムスタンプもあらかじめ規定してあるので、これらと現在表示中の映像Ｉｄ及び現在時刻を比較することになる。ステップ３４００では、合致するデータがある場合とない場合に分けて、それぞれステップ３４１０〜３４２０とステップ３４３０を実行する。まず、ステップ３４１０では、同時に複数のデータが選ばれる可能性があるので、このような競合を解消する処理が必要となる。競合解消後は、ステップ３４２０にてアイコンやテロップを映像上にオーバレイ表示する。各処理の詳細については後述する。この後、表示したアイコンとテロップまたは表示優先度が低く表示できなかったアイコンとテロップをあわせて記録しておく。利用者からの要求に応じてこれをホームページに変換し、いつでもアクセス可能な状態に準備しておく。また、ステップ３４３０では、該当するデータがなかったので、映像をそのまま表示装置にスルーする。ステップ３４４０では、アイコンやテロップを合成した映像あるいはそのままの映像を１フレーム単位で表示する。なお、ステップ３３９０〜３４３０の処理は、ある一定周期ごとに繰り返しさえすればよく、フレームごとに処理を実行する必要は必ずしもないが、説明の都合上、１フレーム単位のループ３３００の中に埋めこんだ。データ表示モードに切り替えられたり、スイッチＯＦＦとなった場合にステップ３４５０にて処理を終了する。
【００６３】
次に、競合解消処理の処理フローを説明する。ステップ３５００では、同一時間帯に関連付けられたデータが他にあるかどうかを調べる。ここでは、同一時間帯に複数のデータが割り当てられている場合を競合と呼んでいる。関連データの一覧をリスト形式で表示できる場合は、そのまま表示しても構わないが、一つ一つの関連データの内容を示すアイコンやテロップを表示する場合は、表示する順番や表示時間などを決める必要がある。そこで、ステップ３５１０で競合があるかどうかを検出し、なかったらそのまま当該処理を終了するが（ステップ３５２０）、競合があった場合は、データの表示優先度を決めて、当該優先度の高い順にアイコンやテロップを表示するようスケジューリングし直す。最後にステップ３５４０にて処理を終了する。
【００６４】
次に、オーバレイ表示処理の処理フローを説明する。ステップ３６００では、利用者によるアイコンとテロップの表示モードと、情報提供者によるアイコンとテロップの強制表示モードを検出する。アイコンとテロップの表示モードがＯＦＦとなっていても強制表示モードがＯＮであるならば、映像上にデータとテロップを強制的に重ねあわせて表示する。このため、オーバレイ処理を実行させないためには、アイコンとテロップの表示モードをＯＦＦにし、かつ情報提供者による強制表示モードもＯＦＦである必要がある。ステップ３６２０では、先に決めた表示条件に基づき、アイコンやテロップを利用者ごとに個別化する。次に、ステップ３６３０と３６４０では、テロップありの場合に、テロップを映像に重畳する処理を実行する。同様に、ステップ３６５０にてアイコンありの場合に、アイコンを映像に重畳する処理を実行する。文字列や画像を映像に重畳する処理の方法については、通常の映像にデータを重ねあわせて表示する処理に準ずる。
【００６５】
以上、放送メディアを中心に本発明の１実施例を説明してきたが、本発明はパッケージメディアや通信メディアを用いた映像・データ表示方法としても用いることができる。
【００６６】
【発明の効果】
本発明によると、インタラクティブ番組の放送時間が終了する一定時間前に番組が終了する旨警告する画面を表示し、対話継続、対話終了または対話画面保存を利用者に選択させ、利用者が対話終了または対話画面保存を選択した場合には、映像のみ表示する画面に復帰する。また、利用者が何も選択せず放送時間が終了した場合にも自動的に映像のみ表示する画面に復帰する。以上により、インタラクティブ番組が他の番組に影響を及ぼさないように利用者との対話画面を制御できるようになる。
【００６７】
また、本発明によると、利用者が対話継続を選択した場合は、映像画面を消してデータ画面のみ表示し、利用者が対話を継続できるようにする。同様に、利用者が対話画面保存を選択し、他の時間に対話を継続する場合も、映像画面を消してデータ画面のみ表示する。以上により、たとえインタラクティブ番組の放送時間が終了したとしても、データ画面で番組提供者の意向を利用者に伝えることができ、結果的に利用者が本来享受すべき利便性や利益を保つことができる。
【００６８】
さらに、本発明によると、インタラクティブ番組が開始される際にはその番組内容を通知するアイコンやテロップを画面に表示し、利用者が対話モードに移行しやすいようにする。また、対話画面では番組の放送時間を表示し、利用者が対話を続けるのに残された時間を把握しやすいようにしている。以上により、利用者は受信装置を簡単に使いこなし、インタラクティブ番組における対話を進めることができる。
【図面の簡単な説明】
【図１】
本発明の一実施例に係るインタラクティブ番組において利用者との対話及び画面の状態遷移を表す説明図。
【図２】
本発明の一実施例に係るインタラクティブ放送サービスの全体システム構成を表す説明図。
【図３】
本発明の一実施例に係るインタラクティブ放送受信装置のハードウェア構成を表す説明図。
【図４】
本発明の一実施例に係るインタラクティブ放送受信装置の各構成要素間のデータの流れを表す説明図。  
【図５】
本発明の一実施例に係るインタラクティブ放送受信装置の利用者操作用リモコンの外観を表す説明図。
【図６】
アナログ地上波における映像番組とデータ番組の同時伝送の仕組みを概念的に表す説明図。
【図７】
ディジタル衛星放送における映像番組とデータ番組の同時伝送の仕組みを概念的に表す説明図。
【図８】
本発明の一実施例に係るインタラクティブ番組において画面遷移と操作履歴を表す説明図。
【図９】
本発明の一実施例に係るインタラクティブ番組において別の画面遷移と操作履歴を表す説明図。
【図１０】
本発明の一実施例に係るインタラクティブ番組において別の画面遷移と操作履歴を表す説明図。
【図１１】
本発明の一実施例に係るインタラクティブ番組の映像画面を表す説明図。
【図１２】
本発明の一実施例に係るインタラクティブ番組の通知画面を表す説明図。
【図１３】
本発明の一実施例に係るインタラクティブ番組の対話画面を表す説明図。
【図１４】
本発明の一実施例に係るインタラクティブ番組の別の対話画面を表す説明図。
【図１５】
本発明の一実施例に係るインタラクティブ番組の別の対話画面を表す説明図。
【図１６】
本発明の一実施例に係るインタラクティブ番組の別の対話画面を表す説明図。
【図１７】
本発明の一実施例に係るインタラクティブ番組の警告画面を表す説明図。
【図１８】
本発明の一実施例に係るインタラクティブ番組のデータ画面を表す説明図。
【図１９】
本発明の一実施例に係るインタラクティブ番組の通知画面の構成を表す説明図。
【図２０】
本発明の一実施例に係るインタラクティブ番組の対話画面の構成を表す説明図。
【図２１】
本発明の一実施例に係るインタラクティブ番組の番組情報を表す説明図。
【図２２】
本発明の一実施例に係るインタラクティブ番組の構成を表す説明図。
【図２３】
本発明の一実施例に係るインタラクティブ番組のデータモデルを表す説明図。
【図２４】
本発明の一実施例に係るインタラクティブ番組のデータ構造を表す説明図。
【図２５】
本発明の一実施例に係るインタラクティブ番組の映像画面における対話及び画面制御の処理フローを表す説明図。
【図２６】
本発明の一実施例に係るインタラクティブ番組の通知画面における対話及び画面制御の処理フローを表す説明図。
【図２７】
本発明の一実施例に係るインタラクティブ番組の対話画面における対話及び画制御の処理フローを表す説明図。
【図２８】
本発明の一実施例に係るインタラクティブ番組の警告画面における対話及び画面制御の処理フローを表す説明図。
【図２９】
本発明の一実施例に係るインタラクティブ番組のデータ画面における対話及び画面制御の処理フローを表す説明図。
【符号の説明】
１００…インタラクティブ放送受信装置、１０１…中央制御装置、１０２…メモリ、１０３…表示制御部、１０４…入力制御部、１０５…放送受信部、１０６…ディスク制御部、１０７…通信制御部、１０８…外部記憶装置、１０９…バス、１１０…チューナー、１１１…システム多重化復号器、１１２…ビデオ復号器、１１３…オーディオ復号器、１１４…データ復号器、１１５…合成・出力器、１２０…表示装置、１３０…ユーザ入力手段、１４１…アンテナ